(57)【要約】【課題】ビジネスバッグ、旅行かばん等に容易に収納可能で出張、通勤等の移動時の負担とならない程度に軽量であり、かつ外観に優れ、取り扱いが容易で、ビジネスホテル等の室内での飲食時に通常の飲食テーブルに匹敵する安定性をもち使用時のストレスを感じさせない携帯テーブルを実現する。【解決手段】高さを確保するための脚をもたず、他の自立する家具または器具に設置することで機能を果たすテーブルであって、前期設置手段はベルト状であり、前記ベルト状設置手段はテーブル天板に面ファスナーで着脱可能にとりつけられ、前記ベルト状設置手段は長さ調整手段とバックル状の着脱手段を持ち、前記テーブル天板は２つ折り可能な形状であることを特徴とする携帯型テーブル【選択図】図１
2019037669.tif 000002
【特許請求の範囲】
【請求項１】
高さを確保するための脚をもたず、他の自立する家具または器具に設置することで機能を果たすテーブルであって、前期設置手段はベルト状であり、前記ベルト状設置手段はテーブル天板に面ファスナーで着脱可能にとりつけられ、前記ベルト状設置手段は長さ調整手段とバックル状の着脱手段を持ち、前記テーブル天板は２つ折り可能な形状であることを特徴とする携帯型テーブル
【請求項２】
前記自立する家具または器具はバゲージラックであることを特徴とする請求項１に記載の携帯型テーブル
【発明の詳細な説明】
【技術分野】
【０００１】
本発明は出張時、旅行時等にビジネスバッグ、旅行かばん等に容易に収容可能な携帯テーブルに関するものである。
【背景技術】
【０００２】
一般に、出張時のビジネスパーソンはビジネスホテル等の比較的に宿泊料の安価な宿泊施設を利用することが多い。この際、外で夕食を購入しホテルの室内で夕食をとろうとしたときにテーブルがない、またはテーブルが狭く食事に適していないという課題がある。この課題を解決するための手段として携帯可能なテーブルを出張時に携帯することが考えられる。
【０００３】
持ち運びに適した形状のテーブルとしては、足を折りたためるもの、天板を２つ折りにできるものが一般的に知られている。しかしながらこのようなテーブルはアウトドア、会議、イベント等での使用を目的とし、車両での運搬を前提にしているため、例えばビジネスパーソンが出張時に携帯するには重量が重く、サイズも大きいため、不適である。
【０００４】
特許文献１には、脚をもたない折り畳み式のテーブルとして、自動車のステアリングハンドルに係止可能なパソコンテーブルが提案されている。このパソコンテーブルは自動車内運転席での使用に限定され、室内での利用には適さない。
【０００５】
特許文献２には脚をもたない携帯可能なデスクとして、ストラップにより胸部、または腰部に固定して使用するモバイルデスクが提案されている。このデスクは人体に固定しての使用に限定されており、室内での快適な飲食には適さない。
【先行技術文献】
【特許文献】
【０００６】
【特許文献１】特開２００１ー２４６９７４号公報
【特許文献２】特開２０１６−１１２３７４号公報
【発明の概要】
【発明が解決しようとする課題】
【０００７】
本発明は以上のような欠点に鑑み、ビジネスバッグ、旅行かばん等に容易に収納可能で出張、通勤等の移動時の負担とならない程度に軽量であり、かつ外観に優れ、取り扱いが容易で、ビジネスホテル等の室内での飲食時に通常の飲食テーブルに匹敵する安定性をもち使用時のストレスを感じさせない携帯テーブルを提供するものである。
【課題を解決するための手段】
【０００８】
請求項１に記載の発明は、高さを確保するための脚をもたず、他の自立する家具または器具に設置することで機能を果たすテーブルであって、前期設置手段はベルト状であり、前記ベルト状設置手段はテーブル天板に面ファスナーで着脱可能にとりつけられ、前記ベルト状設置手段は長さ調整手段とバックル状の着脱手段を持ち、前記テーブル天板は２つ折り可能な形状であることを特徴とする携帯型テーブルを提供する。
【０００９】
請求項２に記載の発明は、前記自立する家具または器具はバゲージラックであることを特徴とする請求項１に記載の携帯型テーブルを提供する。
【発明の効果】
【００１０】
請求項１に記載の発明では、テーブルの脚をもたないことで、軽量化とコンパクト化を実現している。脚をもたなくともテーブルとしての機能を保つことを実現するため、自立する家具または器具に設置することでテーブルとして使用可能となる。設置手段としてのベルトは天板の裏面に面ファスナーで取り付けられ、長さを調整可能な構造としたことで、天板とベルトの貼り付け部の長さを調整、またベルト自身の長さを調整し、様々なサイズを有する家具、器具に設置することが可能となる。またベルト両端はバックル状となっておりベルト端同士を連結または切り離し可能で設置が容易となる。また、ベルト状であることで天板裏面に取り付けたまま、天板を２つ折りにすることが可能であり、使用後の折り畳みを容易に行うことができる。
【００１１】
請求項２に記載の発明ではバゲージラックに設置することでテーブルとして使用可能となる。本発明は出張時のビジネスホテル内で飲食テーブルがない、または狭いことを一番の解決すべき課題をしている。バゲージラックはビジネスホテル等の室内の荷物置きとして一般的に常備されており、バゲージラックを利用することで、ほとんどのビジネスホテル室内で本発明を利用することが可能となる。
【図面の簡単な説明】
【００１２】
【図１】本発明を天板表面から見た全体構成図
【図２】本発明を天板裏面から見た全体構成図（ベルト外し状態）
【図３】本発明の２つ折り途中形状を示す図
【図４】本発明の携帯時折り畳み形状を示す図
【図５】本発明のバゲージラックへの設置状態を示す図
【図６】本発明の比較的小さなサイズのバゲージラックへの設置状態を示す模式図
【図７】本発明の比較的大きなサイズのバゲージラックへの設置状態を示す模式図
【実施例】
【００１３】
図１は、本発明を天板表側から見た構成図である。本発明の天板１は軽量化のため、強度が高く軽量で薄い材料が好ましく用いられる。本実施例では、厚さ4mmの中空ポリカーボネートシート（AGC旭硝子社製  ツインカーボ  厚さ）を用いた。天板のサイズは２つ折り状態で、ビジネスバッグに無理なく収納できるサイズとして、略A4サイズ(297mmx210mm)を採用しており、使用時に広げた時に略A3サイズ（420mmx297mm）となる。天板の端部保護又は補強のために樹脂製のコの字断面形状である端部保護部材７（光モール社製  ホワイトジョイナーコ４）を端部一周にわたって取り付けてある。天板１の２つ折りを可能とするため、２枚の天板の間にはヒンジ部材６が設けられる。本実施例では軽量化、コンパクト化、また使用時にでっぱりを感じさせないために、ヒンジとしてポリプロピレン製厚さ0.2mmのシート部材を用いている。ヒンジ部材６は天板１上面側に設けられ、２枚の天板１の間の隙間をふさぎ、テーブルとしての使用時のテーブル下への液体こぼれを防止する機能も有する。本実施例では設置手段としてベルト２、幅15mmのナイロンベルトを用いており、ベルト長さ調整手段、バックル状の着脱手段としてベルトバックル  オス３、ベルトバックル  メス４（ニフコ社製  プラスチックバックルSR15）アジャスター８（ニフコ社製  テープアジャスターT15）を用いている。本実施例では使用時委に２つ折り形状の天板を１枚板として使用するためのスライド式固定部材５として、コの字型の樹脂部材（フクビ社製  F見切りD-4号）を用いている。またスライド式固定部材５は天板からの離脱、スライド量の制限を行うためのストッパーを内側に設けている。ストッパーは1mmの樹脂板を用いている。天板の長手方向の端部片側には磁石９（角形ネオジム磁石）、反対側の端には鉄系材料の薄板１０（SUS430厚さ0.4mm）を設けており、２つ折り時に吸着し、２つ折り状態を安定させる。また天板裏面には商品名を明示するためのラベル１１が貼られている。
【００１４】
図２は本発明の設置手段であるベルトを天板から外した状態で、天板裏面から見た構成図である。天板裏面に帯状の面ファスナー１２を天板を広げた状態の長手方向の長さにわたって、幅方向の端に近い位置に２本づつ、計４本張り付ける。２本のベルトは天板の面ファスナー１２に対応する位置に対となる面ファスナー１３を張り付ける。天板の幅方向両端にはスライド式固定部材５が設けられる。
【００１５】
図３は本発明の２つ折り途中の形状を示す。２つ折り時にはスライド式固定部材５をスライドさせると、ヒンジ部材６の部分から２つ折り可能となる。
【００１６】
図４は携帯時の折り畳み形状を示す。ベルトを２つ折りにした天板のまわりに巻くように収納し、よりコンパクトに収納できるようにしている。
【００１７】
図５は一般的なバゲージラックに本発明品を設置した時のイメージ図である。左側が取り付け前のバゲージラック。右側が本発明品を設置した状態のバゲージラックである。
【００１８】
図６は比較的小さなサイズのバゲージラックに本発明品を取り付けた状態を示す模式図である。天板１に対しベルト２は面ファスナー１２、１３で取り付けられているため、天板の長さに対しバゲージラックの上面長さが短い場合は、２本のベルトの長さをバッゲージラックに合わせて調節し、図示のように、２本のベルト２端部の面ファスナー１２，１３を少しはがし、バゲージラック上部をベルトで一巻きし、ベルトバックル  オス３とベルトバックル  メス４を天板１の下側で締結し固定する。
【００１９】
図７は比較的大きなサイズのバゲージラックに本発明品を取り付けた状態を示す模式図である。取り付け方は前期小さなサイズのバゲージラックとほぼ同じであるが、図のように天板１に対しバゲージラックの上部長さが近い長さの場合は、天板１に対するベルト２の面ファスナー１２，１３の取り付け長さを長くし、天板１を安定させる。
【産業上の利用可能性】
【００２０】
本発明は携帯テーブルに対し用いることができる。
【符号の説明】
【００２１】
１…天板、２…ベルト、３…ベルトバックル  オス、４…ベルトバックルメス、５…スライド式固定部材、６…ヒンジ部材、７…端部保護部材、８…アジャスター、９…磁石、１０…薄板、１１…ラベル、１２…面ファスナー（フック面）１３…面ファスナー（ループ面）
【図１】
2019037669.tif 000003
【図２】
2019037669.tif 000004
【図３】
2019037669.tif 000005
【図４】
2019037669.tif 000006
【図５】
2019037669.tif 000007
【図６】
2019037669.tif 000008
【図７】
2019037669.tif 000009
【手続補正書】
【提出日】平成30年6月10日(2018.6.10)
【手続補正１】
【補正対象書類名】特許請求の範囲
【補正対象項目名】請求項１
【補正方法】変更
【補正の内容】
【請求項１】
高さを確保するための脚をもたず、他の自立する家具または器具に設置することで機能を果たすテーブルであって、テーブル天板を前記他の自立する家具または器具に設置するための設置手段はベルト状であり、前記ベルト状設置手段はテーブル天板に面ファスナーで着脱可能にとりつけられ、前記ベルト状設置手段は長さ調整手段とバックル状の着脱手段を持ち、前記テーブル天板は２つ折り可能な形状であることを特徴とする携帯型テーブル